(57)【要約】  【課題】  光ディスク装置において、光ディスク記録面の汚染や傷付きを防止する技術の提供。  【解決手段】  光ピックアップの移動機構を含むトラバースメカ側の領域と併せ、トラバースメカの昇降機構を含むシャーシ側の領域も覆うメカカバーを設け、光ディスクが装着されたとき、上記両領域と光ディスクの記録面との対向状態が上記メカカバーにより遮断される構成とする。【選択図】  図１
2006147106.tif 000002
【特許請求の範囲】
【請求項１】
光ディスクに対し情報を記録または再生する光ディスク装置であって、
装置を支持するシャーシと、
光ピックアップをディスク半径方向に移動させる移動機構と、光ディスクを回転駆動するスピンドルモータとが設けられ、上記シャーシ面に対し該スピンドルモータの回転軸上のディスク載置位置が変わるように昇降変位可能なトラバースメカと、
上記シャーシ側に設けられ上記トラバースメカを上記昇降変位させる昇降機構と、
上記シャーシ側に固定され、少なくとも上記移動機構を含む上記トラバースメカ側の第１の領域と上記昇降機構を含む上記シャーシ側の第２の領域とを覆うメカカバーと、
を備え、光ディスクが上記スピンドルモータの回転軸に装着された状態において、上記第１、第２の領域と該光ディスクの記録面との対向が上記メカカバーにより遮断される構成としたことを特徴とする光ディスク装置。
【請求項２】
上記メカカバーは、その端部に爪状突起部を有し、上記シャーシ側の孔に該爪状突起部が挿入されることで該シャーシ側に固定される構成である請求項１に記載の光ディスク装置。
【発明の詳細な説明】
【技術分野】
【０００１】
本発明は、光ディスク装置に係り、特に、光ディスクの記録面の汚染や傷付きを防止するための構成に関する。
【背景技術】
【０００２】
従来、光ディスク装置では、図４に示すように、光ピックアップ３'やスピンドルモータ２'が搭載されたトラバースメカ５'側にだけカバー６'を設け、該光ピックアップ３'の移動機構などを該カバー６'によって覆うようにしている。図４において、４'は装置を支持するシャーシ、３ａ'は対物レンズ、４０'は光ディスクをローディングするためのローディングモータ、５０'は光ディスクを排出するための排出レバー、６０'は、ローディングモータ４０'を駆動させるためのリミットスイッチを動作させる規制レバー、７０'は光ディスクを引き込むための引き込みレバー、８０'はサブレバーである。本発明に関連する従来技術であって文献記載のものは、現在のところ見出されない。
【発明の開示】
【発明が解決しようとする課題】
【０００３】
上記従来技術においては、カバー６'は、光ピックアップ３'の移動機構などトラバースメカ５'側の部品のみを覆う構成である。このため、シャーシ４'側に設けられた部品例えばトラバースメカ５'を昇降動作させるための昇降機構などは該カバー６'によっては覆われないし、また、シャーシ４'上の突起例えばシャーシ４'の面内に設けた孔の周りのばりなども露出状態のまま光ディスクの記録面に対向することになる。シャーシ４'側において昇降機構などが覆われない構造は、該昇降機構などに対し外部から塵埃などが進入して機構の円滑動作を妨げる原因となるし、また、該昇降機構などからのグリス等潤滑剤の飛散を許し、光ディスクの記録面を汚染する原因となる。また、シャーシ４'上の突起が露出する構造は、光ディスクの挿入時や排出時に該光ディスクの記録面に傷が付く原因となる。
本発明の課題点は、上記従来技術の状況に鑑み、光ディスク装置において、光ディスクの記録面の汚染や傷付きを防止することができるようにすることである。
本発明の目的は、かかる課題点を解決する技術を提供することにある。
【課題を解決するための手段】
【０００４】
上記課題点を解決するために、本発明では、光ディスク装置において、少なくとも光ピックアップの移動機構を含むトラバースメカ側の領域とトラバースメカの昇降機構を含むシャーシ側の領域とを覆うメカカバーを設け、光ディスクの装着状態において、上記両領域と光ディスクの記録面との対向状態が上記メカカバーにより遮断される構成とする。
【発明の効果】
【０００５】
本発明によれば、光ディスク装置において、光ディスクの記録面の汚染や傷付けを防止することができる。また、光ピックアップの移動機構やトラバースメカの昇降機構への塵埃などの進入を阻止しそれによる性能劣化を防ぐことができる。
【発明を実施するための最良の形態】
【０００６】
以下、本発明を実施するための最良の形態につき、図面を用いて説明する。
図１〜図３は、本発明の実施形態の説明図である。図１は、本発明の実施例としての光ディスク装置の構成例図、図２は、図１の光ディスク装置においてメカカバーを除いた場合の構成図、図３は、図１の光ディスク装置のメカカバーの構成例図である。
【０００７】
図１、図２において、１００は光ディスク装置、１は光ディスク、２は、光ディスク１を回転駆動するスピンドルモータ、３は、光ディスク１に対しレーザー光を照射し、該光ディスク１にデータを記録したり、記録されたデータを読み出したりする光ピックアップ、３ａは、光ピックアップ３内の対物レンズ、４は、光ディスク装置１００を支持するシャーシ、５は、光ピックアップ３をディスク半径方向に移動させる移動機構とスピンドルモータ２とがその上に設けられ、シャーシ４の面に対しスピンドルモータ２の回転軸上のディスク載置位置が変わるように昇降変位するトラバースメカ、６は、シャーシ４側に設けられトラバースメカ５を昇降変位させる昇降機構としての昇降スライダー、７は、シャーシ４側に固定され、少なくとも上記移動機構を含むトラバースメカ５側の第１の領域Ｚ１と上記昇降スライダー６を含むシャーシ４側の第２の領域Ｚ２とを覆うメカカバー、２１は、光ピックアップ３のディスク半径方向の移動を案内する移動機構としての主ガイド部材、２２は、主ガイド部材２１に平行に設けられ該主ガイド部材２１とともに光ピックアップ３のディスク半径方向への移動を案内する移動機構としての副ガイド部材、２５は、表面にねじが設けられ、回転により光ピックアップ３に対しディスク半径方向への移動力を与える移動機構としてのリードスクリュー、３０は、リードスクリュー２５を回転駆動するスライドモータ、８はケース、９は前面パネル、４０は、光ディスク１をローディングするためのローディングモータ、５０は、光ディスク１を排出するための排出レバー、７０は光ディスク１を引き込むためのディスクスロットアーム、８０はサブレバー、４ａ、４ｂは、メカカバー７を固定するシャーシ４の面内の孔、１５０は、メカカバー７を固定するための固定用ビスである。
【０００８】
上記メカカバー７は、図３に示す構成を有する。図３において、７ａ、７ｂは端部に設けられた爪状突起部、７ｃは、スピンドルモータが貫通する孔部、７ｄは、光ピックアップ３の対物レンズ３ａとその周辺部が光ディスク１に対向するための孔部、７ｅは固定用ビスを貫通させる孔部である。メカカバー７は、爪状突起部７ａ、７ｂがそれぞれ、シャーシ４の面内の孔４ａ、４ｂに挿入され、かつ、孔部７ｅに固定用ビス１５０が貫通された状態で固定され、主ガイド部材２１や副ガイド部材２２やリードスクリュー２５などの移動機構を含むトラバースメカ５側の第１の領域Ｚ１と昇降スライダー６を含むシャーシ４側の第２の領域Ｚ２とを覆う。メカカバー７は、トラバースメカ５側の第１の領域Ｚ１を覆うことにより、該第１の領域Ｚ１内の移動機構で用いているグリス等の潤滑剤が光ディスク１の記録面に飛散して該記録面を汚染するのを阻止するとともに、外部から該移動機構部に塵埃などが進入して該移動機構の性能を劣化させるのを防ぐ。また、該メカカバー７は、シャーシ４側の第２の領域Ｚ２を覆うことにより、該第２の領域Ｚ２内の昇降スライダー６と光ディスク１の記録面との対向状態を遮蔽し、これによって、該昇降スライダー６で用いているグリス等の潤滑剤が光ディスク１の記録面に飛散して該記録面を汚染するのを阻止するとともに、外部から該昇降スライダー６部に塵埃などが進入して該昇降スライダー６の性能を劣化させるのを防ぐ。また、該メカカバー７は、該第２の領域Ｚ２において、シャーシ面内の、例えば孔周囲のばり等の突起部を覆い、該突起部が光ディスク１の記録面に接触して該記録面を傷付けるのを防ぐ。
【０００９】
上記メカカバー７が固定された図１の構成において、光ディスク１が前面パネル９側から挿入されるとき、昇降スライダー６はトラバースメカ５を昇降変位させ、シャーシ４の面に対しスピンドルモータ２の回転軸上のディスク載置位置を変えて光ディスク１の記録面から離れた位置となるようにする。かかる状態で、光ディスク１は、ディスクスロットアーム７０やサブレバー８０の変位とともにローディングモータ４０の回転駆動力により装置内に進入され、その中心がスピンドルモータ２の回転軸位置に達する。該位置で、昇降スライダー６はトラバースメカ５を昇降変位させ、スピンドルモータ２の回転軸上のディスク載置位置に光ディスク１を載置した状態で該載置位置を移動させ、光ディスク１の記録面に近づいた所定位置となるようにする。該所定位置とされることで光ディスク１は装置に対し装着状態とされ、該装着状態で該光ディスクの記録面に対し情報の記録または再生が行われる。
【００１０】
記録または再生時、光ディスク１は、スピンドルモータ２により所定の速度で回転され、光ピックアップ３は、対物レンズ３ａが光ディスク１の記録面に対し所定の位置及び姿勢とされた状態で、主ガイド部材２１、副ガイド部材２２、リードスクリュー２５などの移動機構及びスライドモータ３０により、光ディスク１の半径方向（内周側から外周側に向かう方向）に移動される。
【００１１】
記録または再生を終え、光ディスク１を光ディスク装置１００から取り出すときは、昇降スライダー６はトラバースメカ５を再び昇降変位させ、シャーシ４の面に対しスピンドルモータ２の回転軸上のディスク載置位置を変えて光ディスク１の記録面から離れた位置となるようにする。かかる状態で、光ディスク１は、排出レバー５０により装置外に排出される。
【００１２】
上記図１〜図３で説明した実施例によれば、メカカバー７は、トラバースメカ５側の第１の領域Ｚ１とシャーシ４側の第２の領域Ｚ２とを覆う構成のため、該第１の領域Ｚ１内のリードスクリュー２５などの移動機構で用いているグリス等の潤滑剤が光ディスク１の記録面に飛散して該記録面を汚染するのを防ぐことができる。また、外部から該移動機構部に塵埃などが進入するのを阻止し該移動機構の性能劣化を抑えることができる。また、第２の領域Ｚ２内の昇降スライダー６で用いているグリス等の潤滑剤が光ディスク１の記録面に飛散して該記録面を汚染するのを防ぐことができる。外部から該昇降スライダー６部に塵埃などが進入するのを阻止し該昇降スライダー６の性能劣化を抑えることができる。さらに、該第２の領域Ｚ２において、シャーシ面内の突起部が光ディスク１の記録面に接触するのをなくし該記録面を傷付けることがないようにすることができる。
【図面の簡単な説明】
【００１３】
【図１】本発明の実施例としての光ディスク装置の構成例図である。
【図２】図１の光ディスク装置においてメカカバーを除いた場合の構成を示す図である。
【図３】図１の光ディスク装置のメカカバーの構成例図である。
【図４】従来の光ディスク装置の構成例図である。
【符号の説明】
【００１４】
１…光ディスク、
２…スピンドルモータ、
３…光ピックアップ、
３ａ…対物レンズ、
４…シャーシ、
５…トラバースメカ、
６…昇降スライダー、
７…メカカバー、
２１…主ガイド部材、
２２…副ガイド部材、
２５…リードスクリュー、
３０…スライドモータ、
８…ケース、
９…前面パネル、
４０…ローディングモータ、
７ａ、７ｂ…爪状突起部、
１００…光ディスク装置。
【図１】
2006147106.tif 000003
【図２】
2006147106.tif 000004
【図３】
2006147106.tif 000005
【図４】
2006147106.tif 000006